(57)【要約】【課題】テレビ映像や外部装置からの映像の観賞を妨げることなく外部装置の電源の切り忘れを防止し得るテレビを提供する。【解決手段】表示部１７と、表示部１７を制御する制御部２２と、外部装置１００ａ〜１００ｅからの外部信号Ｓｂを入力する入力端子２４ａ〜２４ｅとを備えて、入力端子２４ａ〜２４ｅから入力している外部信号Ｓｂに基づく映像を表示部１７に表示可能に構成され、制御部２２は、映像の表示停止処理を指示する操作が行われた時点において外部信号Ｓｂが入力されているときに、外部信号Ｓｂが入力されている旨を報知する報知用映像を表示停止処理の実行に先立って表示部１７に所定時間表示させる。【選択図】図１
2007150403.tif 000002
【特許請求の範囲】
【請求項１】
表示部と、前記表示部を制御する制御部と、外部装置からの外部信号を入力する入力端子とを備えて、前記入力端子から入力している前記外部信号に基づく映像を前記表示部に表示可能に構成されたテレビであって、
前記制御部は、映像の表示停止処理を指示する操作が行われた時点において前記外部信号が入力されているときに、当該外部信号が入力されている旨を報知する報知用映像を前記表示停止処理の実行に先立って前記表示部に所定時間表示させるテレビ。
【請求項２】
前記報知用映像は、前記外部装置を特定可能に構成されている請求項１記載のテレビ。
【請求項３】
前記報知用映像は、文字、図形および記号の１種以上を含む画像を背景画面に重ね合わせて構成されている請求項１または２記載のテレビ。
【発明の詳細な説明】
【技術分野】
【０００１】
本発明は、入力端子から入力している外部信号に基づく映像を表示部に表示可能に構成されたテレビに関するものである。
【背景技術】
【０００２】
例えば、ＶＴＲ等の外部装置をテレビに接続して外部装置からの映像とテレビ映像（テレビのチューナからの映像）とを切り替えて表示させる使用形態において外部装置およびテレビの電源を切断する際には、一般的に、各々の操作部やリモコンを用いて両者に対して電源切断操作を別個に行う必要がある。この場合、例えば、外部装置から映像信号を出力させたままの状態で外部装置の映像からテレビ映像に切り替えて、その後にテレビの電源を切断したときには、外部装置の電源が投入された状態で映像信号が出力されているにも拘わらず、使用者がそのことに気付かずに、電源が投入されたままの状態で放置されるという不都合が生じることがある。このような不都合を解消可能な手段として、特開２００１−１５７１３５号公報に開示されたテレビ受信機が知られている。このテレビ受信機は、チューナ、信号検出部およびＭＰＵ（中央処理装置）等を備えて構成されている。このテレビ受信機では、チューナからのオンエアー映像を表示している状態において外部入力端子にＶＴＲからの信号が入力したときに、信号検出部が信号の入力を検出し、これに応じて、ＭＰＵが、例えば、信号の入力を示す文字映像をＯＳＤ表示モードで表示させる。このため、外部入力端子に信号が入力している旨、つまり外部装置の電源が投入されている旨を使用者に認識させることが可能となっている。
【特許文献１】特開２００１−１５７１３５号公報（第３−５頁、第１，５図）
【発明の開示】
【発明が解決しようとする課題】
【０００３】
ところが、上記のテレビ受信機には、以下の問題点がある。すなわち、上記のテレビ受信機では、オンエアー映像を表示している状態において外部入力端子に信号が入力したときに、その旨を示す文字映像を表示している。このため、このテレビ受信機には、例えば、ＶＴＲからの信号を入力させたままの状態でオンエアー映像とＶＴＲの映像とを切り替えて観賞するような使用形態において、オンエアー映像を表示している間、文字映像が絶えず表示されているため、オンエアー映像の観賞の妨げとなるという問題点が存在する。この場合、文字映像を所定時間だけ表示させる方法も考えられるが、この方法では、オンエアー映像をしばらく見た後にそのままの状態でテレビ受信機の電源を切断したときには、文字映像が表示されていたこと自体が忘れ去られて、ＶＴＲの電源が投入されたままの状態で放置されるという問題点が依然として存在する。
【０００４】
本発明は、かかる問題点に鑑みてなされたものであり、テレビ映像や外部装置からの映像の観賞を妨げることなく外部装置の電源の切り忘れを防止し得るテレビを提供することを主目的とする。
【課題を解決するための手段】
【０００５】
上記目的を達成すべく本発明に係るテレビは、表示部と、前記表示部を制御する制御部と、外部装置からの外部信号を入力する入力端子とを備えて、前記入力端子から入力している前記外部信号に基づく映像を前記表示部に表示可能に構成されたテレビであって、前記制御部は、映像の表示停止処理を指示する操作が行われた時点において前記外部信号が入力されているときに、当該外部信号が入力されている旨を報知する報知用映像を前記表示停止処理の実行に先立って前記表示部に所定時間表示させる。
【０００６】
このテレビでは、映像の表示停止処理を指示する操作が行われた時点において外部信号が入力されているときに、その旨を報知する報知用映像を表示停止処理に先だって表示部に所定時間だけ表示させる。このため、外部装置からの信号が入力されている間、文字映像が絶えず表示される従来のテレビ受信機とは異なり、観賞を終了したチューナや外部装置からの映像の表示停止後に報知用映像を表示させることができる。したがって、このテレビによれば、表示停止処理を指示する操作を行った時点において外部装置からの外部信号が入力されている旨、つまりその時点において外部装置の電源が投入されている旨をこれらの映像の観賞を妨げることなく確実に報知することができる結果、外部装置の電源の切り忘れを確実に防止することができる。
【０００７】
また、本発明に係るテレビは、上記のテレビにおいて、前記報知用映像は、前記外部装置を特定可能に構成されている。
【０００８】
このテレビでは、報知用映像が外部装置を特定可能に構成されている。このため、複数の外部装置が接続されていたとしても、どの外部装置が外部信号を出力しているのか、つまりどの外部装置に電源が投入されているのかを確実かつ容易に認識させることができる。
【０００９】
また、本発明に係るテレビは、上記のテレビにおいて、前記報知用映像は、文字、図形および記号の１種以上を含む画像を背景画面に重ね合わせて構成されている。
【００１０】
このテレビでは、文字、図形および記号の１種以上を含む画像を背景画面に重ね合わせて報知用映像が構成されている。このため、チューナや外部装置からの映像と報知用映像とを使用者に明確に区別させることができるため、使用者に対して報知用映像を確実に注目させることができる。
【発明を実施するための最良の形態】
【００１１】
以下、本発明に係るテレビの最良の形態について、添付図面を参照して説明する。図１に示すプロジェクションテレビ（以下、単に「テレビ」ともいう）１は、本発明に係るテレビの一例であって、同図に示すように、本体部２およびリモコン３を備えて構成されている。本体部２は、選局処理部１１、チューナ１２、プリセット情報保存部１３、信号切替部１４、映像音声処理部１５、映像出力部１６、表示部１７、音声出力部１８、スピーカ１９、受光部２０ａ、キー入力処理部２０、電源部２１、制御部２２およびＲＡＭ２３を備えている。
【００１２】
選局処理部１１は、制御部２２の制御に従い、チューナ１２に対して所定のチャンネルを選局させてそのチャンネルの放送信号Ｓａを抽出させる。チューナ１２は、一例として、ＢＳデジタル放送、１１０度ＣＳデジタル放送、地上デジタル放送および地上アナログ放送を受信可能に構成されて、選局処理部１１の制御に従い、所定のチャンネルを選局してそのチャンネルの放送信号Ｓａを図外のアンテナで受信した放送波から抽出して信号切替部１４に出力する。
【００１３】
プリセット情報保存部１３は、リモコン３のチャンネル指定キー３２ａ〜３２ｌ（図２参照）とチャンネル指定キー３２ａ〜３２ｌに割り当てられるチャンネル（チャンネルの番号）とを対応付けるプリセットデータＤｃを記憶する。信号切替部１４は、制御部２２の制御に従い、図１に示す入力端子２４ａ〜２４ｅ（以下、区別しないときには「入力端子２４」ともいう）を介して入力している外部装置１００ａ〜１００ｅ（以下、区別しないときには「外部装置１００」ともいう）からの外部信号Ｓｂ、およびチューナ１２によって抽出されている放送信号Ｓａのうちのいずれか１つを切り替えて出力する。映像音声処理部１５は、制御部２２の制御に従い、信号切替部１４から出力される放送信号Ｓａまたは外部信号Ｓｂに基づく映像信号Ｄｐおよび音声信号Ｄｖを映像出力部１６および音声出力部１８にそれぞれ出力する。
【００１４】
映像出力部１６は、制御部２２の制御に従い、映像音声処理部１５から出力された映像信号Ｄｐを映像Ｐ１〜Ｐ３（図２，４，５参照：以下、区別しないときには「映像Ｐ」ともいう）の表示用の映像信号Ｓｐに変換して表示部１７に出力すると共に、報知用映像Ｐｓ（図６参照）を表示させるための映像信号Ｓｐを生成して表示部１７に出力する。表示部１７は、一例として、光学エンジンおよびスクリーンパネル（いずれも図示せず）を備え、映像出力部１６から出力された映像信号Ｓｐに対応する映像を表示する。具体的には、この表示部１７は、出力された映像信号Ｓｐに基づいて光源ランプからの投射光を光変調してスクリーンパネルに背面側から投射することで各種映像を表示する。この場合、上記の光学エンジンは、例えば、光変調素子（一例として、デジタルマイクロミラーデバイスや液晶ライトバルブ）と、投射レンズ（いずれも図示せず）とを備えて構成されている。また、光源ランプは、一例として、メタルハライドランプや高圧水銀ランプで構成されて、光源ランプ駆動制御部から供給される光源ランプ駆動パルスによって点灯させられて、白色の投射光を射出する。
【００１５】
音声出力部１８は、制御部２２の制御に従い、映像音声処理部１５から出力された音声信号Ｄｖを増幅して音声信号Ｓｖとしてスピーカ１９に出力する。スピーカ１９は、音声出力部１８から出力された音声信号Ｓｖに基づく音声を出力する。なお、本明細書における「音声」には、人の声のみならず、鳥の鳴き声、風の音および音楽等の各種の「音」が含まれる。受光部２０ａは、リモコン３から出力される赤外線信号Ｓｉを受光して復調信号Ｓｄを出力する。キー入力処理部２０は、受光部２０ａから出力された復調信号Ｓｄに対応する（つまりリモコン３の操作キーに対応する）操作信号Ｓｏを制御部２２に出力する。電源部２１は、制御部２２の制御に従ってテレビ１の各構成要素に電源を供給する。
【００１６】
制御部２２は、キー入力処理部２０から出力された操作信号Ｓｏに従い、選局処理部１１、信号切替部１４、映像音声処理部１５、映像出力部１６、音声出力部１８および電源部２１を制御する。また、制御部２２は、表示部１７に映像Ｐが表示されている状態においてリモコン３の電源キー３１（図２参照）に対応する操作信号Ｓｏがキー入力処理部２０から出力されたとき（本発明における表示停止処理を指示する操作が行われたとき）には、図３に示す報知用映像表示処理５０を実行する。この場合、制御部２２は、報知用映像表示処理５０の実行時において入力端子２４から外部信号Ｓｂを入力しているときには、その入力端子２４を特定して特定情報Ｄｍを生成すると共に、その特定情報Ｄｍに基づいて報知用映像Ｐｓ（図６参照）を表示させる。ＲＡＭ２３は、制御部２２の制御に従って特定情報Ｄｍを記憶する。
【００１７】
リモコン３は、本発明における操作部に相当し、図２に示すように、本体部２とは別体に形成されている。また、リモコン３は、電源キー３１、１２個のチャンネル指定キー３２ａ〜３２ｌおよび信号切替キー３３などの各種操作キーが配列されて構成され、これらの操作キーが操作されたときに、各操作キーに対応する赤外線信号Ｓｉを出力（送信）する。
【００１８】
次に、テレビ１の全体的な動作について、図面を参照して説明する。この場合、図１に示すように、入力端子２４ａには、外部装置１００ａの一例としてのＶＴＲが接続され、入力端子２４ｃには、外部装置１００ｃの一例としての外部チューナが接続されているものとする。また、外部チューナからは、外部信号Ｓｂが出力されているものとする。このテレビ１では、図２に示すリモコン３の電源キー３１が操作されて電源が入ると、制御部２２が電源部２１を制御して表示部１７の光学エンジンに電源を供給させることにより、光学エンジンの光源が発光する。また、制御部２２が、選局処理部１１を制御することにより、直前の電源切断時に選局されていたチャンネル（例えばＢＳ１０２チャンネル）の放送信号Ｓａをチューナ１２に抽出させる。また、制御部２２は、信号切替部１４を制御することにより、チューナ１２から入力する放送信号Ｓａを映像音声処理部１５に出力させる。
【００１９】
映像音声処理部１５は、信号切替部１４から出力された放送信号Ｓａに基づく映像信号Ｄｐおよび音声信号Ｄｖを映像出力部１６および音声出力部１８にそれぞれ出力する。続いて、映像出力部１６は、映像信号Ｄｐを映像Ｐの表示用の映像信号Ｓｐに変換して表示部１７に出力する。次いで、表示部１７の光学エンジンは、映像信号Ｓｐに基づいて変調した投射光をスクリーンパネルに投射する。これにより、図２に示すように、ＢＳ１０２チャンネルの映像Ｐ１が表示される。また、音声出力部１８は、映像音声処理部１５から出力された音声信号Ｄｖを増幅して音声信号Ｓｖをスピーカ１９に出力し、スピーカ１９は、音声信号Ｓｖに基づくＢＳ１０２チャンネルの音声を出力する。
【００２０】
次に、図１に示す入力端子２４ａに接続されている外部装置１００ａとしてのＶＴＲからの映像Ｐおよび音声を視聴するときには、ＶＴＲの電源を投入して再生を開始させる。次いで、図２に示すリモコン３の信号切替キー３３を操作する。この際に、リモコン３は、信号切替キー３３に対応する赤外線信号Ｓｉを出力し、受光部２０ａは、赤外線信号Ｓｉを受光して復調信号Ｓｄを出力する。また、キー入力処理部２０は、その復調信号Ｓｄに対応する操作信号Ｓｏを制御部２２に出力する。これに応じて、制御部２２は、操作信号Ｓｏに従って信号切替部１４を制御して、チューナ１２からの放送信号Ｓａに代えて、入力端子２４ａを介して入力しているＶＴＲからの外部信号Ｓｂに切り替えて映像音声処理部１５に出力させる。続いて、映像音声処理部１５は、信号切替部１４から出力された外部信号Ｓｂに基づく映像信号Ｄｐおよび音声信号Ｄｖを映像出力部１６および音声出力部１８にそれぞれ出力する。次いで、映像出力部１６、表示部１７、音声出力部１８およびスピーカ１９が上記の動作と同様にして動作することにより、図４に示すように、ＶＴＲの映像Ｐ２が表示されると共にＶＴＲの音声が出力される。
【００２１】
次に、例えば、図２に示す「２」の数字が付されたチャンネル指定キー３２ｂが操作されたときは、リモコン３はチャンネル指定キー３２ｂに対応する赤外線信号Ｓｉを出力し、キー入力処理部２０は操作信号Ｓｏを制御部２２に出力する。これに応じて、制御部２２は、プリセット情報保存部１３に記憶されているプリセットデータＤｃに基づき、チャンネル指定キー３２ｂに対応付けられたチャンネル（例えばＢＳ１０３チャンネル）を特定し、そのチャンネルの放送信号Ｓａをチューナ１２に抽出させる。また、制御部２２は、信号切替部１４を制御して、ＶＴＲからの外部信号Ｓｂに代えて、チューナ１２からの放送信号Ｓａに切り替えて映像音声処理部１５に出力させる。次いで、制御部２２は、映像音声処理部１５を制御して、信号切替部１４から出力されている放送信号Ｓａに基づく映像信号Ｄｐおよび音声信号Ｄｖを映像出力部１６および音声出力部１８にそれぞれ出力させる。次いで、映像出力部１６、表示部１７、音声出力部１８およびスピーカ１９が上記の動作と同様にして動作することにより、図５に示すように、ＢＳ１０３チャンネルの映像Ｐ３が表示されると共にＢＳ１０３チャンネルの音声が出力される。
【００２２】
次に、テレビ１の視聴を終了して、テレビ１の電源を切断（映像Ｐ３の表示を停止）する際には、リモコン３の電源キー３１を操作する。この際に、リモコン３は電源キー３１に対応する赤外線信号Ｓｉを出力し、キー入力処理部２０は操作信号Ｓｏを制御部２２に出力する。これに応じて、制御部２２は、図３に示す報知用映像表示処理５０を実行する。この報知用映像表示処理５０では、制御部２２は、ＲＡＭ２３に記憶されている特定情報Ｄｍを消去してＲＡＭ２３を初期化する（ステップ５１）。次いで、制御部２２は、信号切替部１４を介して入力端子２４ａ〜２４ｅのうちの１つ（例えば、入力端子２４ａ）に接続して（ステップ５２）、その入力端子２４から外部信号Ｓｂが入力されているか否かをチェックする（ステップ５３）。この場合、制御部２２は、その入力端子２４から外部信号Ｓｂが入力されているときには、その入力端子２４を特定可能な特定情報Ｄｍを生成してＲＡＭ２３に記憶させ（ステップ５４）、その入力端子２４から外部信号Ｓｂが入力されていないときには、ステップ５４を実行することなく次のステップを実行する。
【００２３】
続いて、制御部２２は、全ての入力端子２４についての上記のチェックを完了したか否かを判別する（ステップ５５）。この場合、制御部２２は、全ての入力端子２４についてのチェックを完了していないため、次の入力端子２４（例えば、入力端子２４ｂ）に接続して（ステップ５６）、ステップ５３〜５５（またはステップ５３，５５）を実行する。次いで、制御部２２は、全ての入力端子２４についての上記のチェックを完了するまでステップ５３〜５５（またはステップ５３，５５）を繰り返して実行する。この場合、例えば、入力端子２４ａおよび入力端子２４ｃに外部信号Ｓｂが入力されているとき、つまり、入力端子２４ａに接続されているＶＴＲ、および入力端子２４ｃに接続されている外部チューナから外部信号Ｓｂが出力されているときには、ＲＡＭ２３には、入力端子２４ａを特定する特定情報Ｄｍ、および入力端子２４ｃを特定する特定情報Ｄｍが記憶される。
【００２４】
次に、ステップ５５において、全ての入力端子２４についてのチェックを完了したと判別したときには、制御部２２は、ＲＡＭ２３に特定情報Ｄｍが記憶されているか否かを判別する（ステップ５７）。この場合、上記したように、入力端子２４ａ，２４ｃをそれぞれ特定する各特定情報ＤｍがＲＡＭ２３に記憶されている。このため、制御部２２は、各特定情報Ｄｍに基づいて入力端子２４ａ，２４ｃを特定すると共に、映像出力部１６を制御することにより、入力端子２４ａ，２４ｃに接続されている外部装置１００（この場合、外部装置１００ａ，１００ｃ）の電源が投入されている旨を報知する文字画像Ｐｃを例えば暗色の背景映像（例えば、ブルーバック）Ｐｂに重ね合わせた報知用映像Ｐｓを表示するための映像信号Ｓｐを出力させる。この場合、文字画像Ｐｃには、外部装置１００ａ，１００ｃを特定可能な文字列、具体的には、外部装置１００ａ，１００ｃが接続されている入力端子２４ａ，２４ｃに対応付けられた例えば「ＶＴＲ」および「外部チューナ」の文字列が含まれている。
【００２５】
次いで、表示部１７が上記の動作と同様にして動作することにより、図６に示すように、ＢＳ１０３チャンネルの映像Ｐ３に代えて、外部装置１００ａ，１００ｃの電源が投入されている旨を報知する報知用映像Ｐｓが表示部１７に表示される（ステップ５８）。この場合、電源キー３１を操作して映像Ｐの表示が停止した後に報知用映像Ｐｓが表示されるため、外部装置からの信号を入力している間、文字映像が絶えず表示される従来のテレビ受信機とは異なり、映像Ｐの観賞を妨げることなく外部装置１００からの外部信号Ｓｂが入力されている旨、つまり外部装置１００の電源が投入されている旨が確実に報知される結果、外部装置１００の電源の切り忘れが確実に防止される。また、暗色の背景画面Ｐｂに文字画像Ｐｃを重ね合わせた報知用映像Ｐｓが表示されるため、使用者に対して報知用映像Ｐｓを確実に注目させることが可能となる。続いて、制御部２２は、報知用映像Ｐｓを所定の時間ｔ（一例として３秒）だけ表示させた時点で、映像出力部１６を制御して報知用映像Ｐｓ用の映像信号Ｓｐの出力を停止させると共に、電源部２１を制御して、表示部１７の光学エンジンに対する電源の供給停止（本発明における表示停止処理）を実行して（ステップ５９）、報知用映像表示処理５０を終了する。これにより、報知用映像Ｐｓの表示が停止して、表示部１７が非表示の状態となる。
【００２６】
一方、ステップ５７において、ＲＡＭ２３に特定情報Ｄｍが記憶されていないとき、つまり入力端子２４から外部信号Ｓｂを入力していないときには、制御部２２は、選局処理部１１を制御して、上記したチューナ１２からのＢＳ１０３チャンネルの放送信号Ｓａの出力を停止させると共に、電源部２１を制御して、表示部１７の光学エンジンに対する電源の供給を停止させて（ステップ５９）、報知用映像表示処理５０を終了する。
【００２７】
このように、このテレビ１によれば、制御部２２は、リモコン３の電源キー３１が操作された時点において外部信号Ｓｂが入力されているときに、その旨を報知する報知用映像Ｐｓを表示停止処理に先だって表示部１７に時間ｔだけ表示させることにより、外部装置からの信号が入力されている間、文字映像が絶えず表示される従来のテレビ受信機とは異なり、観賞を終了した映像Ｐの表示停止後に報知用映像Ｐｓを表示させることができる。したがって、このテレビ１によれば、電源キー３１を操作した時点において外部装置１００からの外部信号Ｓｂが入力されている旨、つまりその時点において外部装置１００の電源が投入されている旨を映像Ｐの観賞を妨げることなく確実に報知することができる結果、外部装置１００の電源の切り忘れを確実に防止することができる。
【００２８】
また、このテレビ１によれば、外部装置１００を特定可能に報知用映像Ｐｓを構成したことにより、複数の外部装置１００が接続されていたとしても、どの外部装置１００が外部信号Ｓｂを出力しているのか、つまりどの外部装置１００に電源が投入されているのかを確実かつ容易に認識させることができる。
【００２９】
また、このテレビ１によれば、外部信号Ｓｂを出力している外部装置１００を特定可能な文字列が含まれる文字画像Ｐｃを背景画面Ｐｂに重ね合わせて報知用映像Ｐｓを構成したことにより、この報知用映像Ｐｓと映像Ｐとを使用者に明確に区別させることができるため、使用者に対して報知用映像Ｐｓを確実に注目させることができる。
【００３０】
なお、本発明は、上記の構成に限定されない。例えば、光学エンジンおよびスクリーンパネルを有する表示部１７を備えたプロジェクションテレビ１に適用した例について上記したが、ＣＲＴ、液晶表示パネルおよびプラズマディスプレイ等で構成された表示部を備えたテレビに本発明を適用することもできる。また、文字画像Ｐｃを背景画面Ｐｂに重ね合わせて構成した報知用映像Ｐｓを例に挙げて説明したが、報知用映像Ｐｓの構成や表示形態はこれに限定されない。例えば、映像Ｐ内に文字画像ＰｃをＯＳＤ（On Screen Display ）表示させることもできるし、映像Ｐと文字画像ＰｃとをＰＩＰ（Picture In Picture）表示させたり２画面表示させたりすることもできる。さらに、文字に代えて、または文字と共に図形や記号を用いて、外部信号Ｓｂが入力している旨を報知する報知用映像Ｐｓを構成することもできる。また、予め規定された時間ｔだけ報知用映像Ｐｓを表示する例について上記したが、時間ｔを任意に設定可能な構成を採用することもできる。
【図面の簡単な説明】
【００３１】
【図１】プロジェクションテレビ１の構成を示すブロック図である。
【図２】プロジェクションテレビ１の正面図である。
【図３】報知用映像表示処理５０のフローチャートである。
【図４】映像Ｐ２の表示画面図である。
【図５】映像Ｐ３の表示画面図である。
【図６】報知用映像Ｐｓの表示画面図である。
【符号の説明】
【００３２】
１  プロジェクションテレビ、１７  表示部、２２  制御部、１００ａ〜１００ｅ  外部装置、Ｐ１〜Ｐ３  映像、Ｐｂ  背景画面、Ｐｃ  文字画像、Ｐｓ  報知用映像、Ｓｂ  外部信号、ｔ  時間
【図１】
2007150403.tif 000003
【図２】
2007150403.tif 000004
【図３】
2007150403.tif 000005
【図４】
2007150403.tif 000006
【図５】
2007150403.tif 000007
【図６】
2007150403.tif 000008